(57)【要約】【課題】精神的、肉体的な疲労回復に効果的で、直接口に入れて食べたり、冷水や、湯や、コーヒー、紅茶等の適宜飲料に溶かして飲め、保存、取扱い等が便利で、大きさを簡単に揃えられ、必要な分量が判り易く、型崩れ等が生じ難く、外観上の体裁が良く、携帯が容易で、手軽に利用でき、型崩れ等が生じ難く、型離れが良く、より綺麗に成型でき、製造し易く、能率良く量産できる固形ブドウ糖を提供する。【解決手段】ブドウ糖を主成分とした栄養補助食品であって、成形装置により、経口可能な寸法で、適宜厚みを有する平面略多角形状に固形化し、外周面は、複数の上部傾斜面３と複数の下部傾斜面４とで構成し、上部傾斜面３夫々は、上面１がわに行くに従って平面中心がわに漸次接近する傾斜面となるよう形成し、下部傾斜面４夫々は、下面２がわに行くに従って平面中心がわに漸次接近する傾斜面となるよう形成する。【選択図】図２
0003106064.tif 000002
【実用新案登録請求の範囲】
【請求項１】
ブドウ糖を主成分とした栄養補助食品であって、成形装置により、経口可能な寸法に構成されると共に、適宜厚みを有する平面略多角形状に固形化して構成され、その外周面は、複数の上部傾斜面と、複数の下部傾斜面とで構成され、上部傾斜面夫々は、上面がわに行くに従って平面中心がわに漸次接近するような傾斜面とし、下部傾斜面夫々は、下面がわに行くに従って平面中心がわに漸次接近するような傾斜面としたことを特徴とする固形ブドウ糖。
【請求項２】
ブドウ糖を主成分とした栄養補助食品であって、成形装置により、経口可能な寸法に構成されると共に、適宜厚みを有する平面六角形状に固形化して構成され、その外周面は、六つの上部傾斜面と、六つの下部傾斜面とで構成され、上部傾斜面夫々は、上面がわに行くに従って平面中心がわに漸次接近するような傾斜面とし、下部傾斜面夫々は、下面がわに行くに従って平面中心がわに漸次接近するような傾斜面としたことを特徴とする固形ブドウ糖。
【請求項３】
主成分となるブドウ糖に、煎茶、抹茶、ココア、砂糖、黒糖、ビタミン類等の内の適宜一種類或いは複数種類の補助剤を加えて固形化して構成したことを特徴とする請求項１または請求項２記載の固形ブドウ糖。
【考案の詳細な説明】
【技術分野】
【０００１】
本考案は、消化吸収が速く、精神的（神経的）な疲労回復や、肉体的な疲労回復に優れた効果を発揮するブドウ糖に着目し、これを利用した栄養補助食品であって、直接食べるようにしても良いし、冷水や、湯や、コーヒー、紅茶等の適宜飲料に溶かして飲むこともでき、しかも、その保存、取扱い等がより便利となるように工夫した固形ブドウ糖に関するものである。
【背景技術】
【０００２】
従来、固形タイプのブドウ糖としては、例えば、ブドウ糖を利用した栄養補助食品があり、この栄養補助食品は、比較的大きな塊状に形成されたものを、そのまま袋詰したようなものが提供されていた。しかしながら、比較的大きな塊状であるため、その保存や取扱いが大変不便であった。
【０００３】
そのため、本願考案者によって特許文献１に示すようなブドウ糖錠剤が提案された。
これは、経口可能な寸法に構成されると共に、主成分となるブドウ糖及び１パーセント以下のショ糖脂肪酸エステルからなる栄養補助食品であって、錠剤機により適宜厚みを有する適宜形状に固形化して構成したもので、従来のように、比較的大きな塊状のものを小さく砕く必要がなく、その大きさを簡単に揃えることができ、必要な分量が判り易く、型崩れ等が生じ難く、外観上の体裁が良く、携帯が容易で、手軽に利用でき、その保存、取扱いが便利となる等の優れた効果が得られるものである。
【０００４】
【特許文献１】実用新案登録第３０９５７６０
【考案の開示】
【考案が解決しようとする課題】
【０００５】
ところで、本願考案者は、前記手段による効果に満足することなく、今までより更に製造し易く、型崩れ等が生じ難く、外観上の体裁が良く、能率良く量産できるような固形ブドウ糖を提供すべく開発を継続している。
【課題を解決するための手段】
【０００６】
しかして、前述の如き課題等をより高い次元で達成すべく本願が案出された。
具体的には、請求項１記載の固形ブドウ糖１にあっては、ブドウ糖を主成分とした栄養補助食品であって、成形装置により、経口可能な寸法に構成されると共に、適宜厚みを有する平面略多角形状に固形化して構成され、その外周面は、複数の上部傾斜面３と、複数の下部傾斜面４とで構成され、上部傾斜面３夫々は、上面１がわに行くに従って平面中心がわに漸次接近するような傾斜面とし、下部傾斜面４夫々は、下面２がわに行くに従って平面中心がわに漸次接近するような傾斜面とする手段を採用した。
【０００７】
また、請求項２記載の固形ブドウ糖１にあっては、ブドウ糖を主成分とした栄養補助食品であって、成形装置により、経口可能な寸法に構成されると共に、適宜厚みを有する平面六角形状に固形化して構成され、その外周面は、六つの上部傾斜面３と、六つの下部傾斜面４とで構成され、上部傾斜面３夫々は、上面１がわに行くに従って平面中心がわに漸次接近するような傾斜面とし、下部傾斜面４夫々は、下面２がわに行くに従って平面中心がわに漸次接近するような傾斜面とする手段を採用した。
【０００８】
更に、請求項３記載の固形ブドウ糖１にあっては、主成分となるブドウ糖に、煎茶、抹茶、ココア、砂糖、黒糖、ビタミン類等の内の適宜一種類或いは複数種類の補助剤を加えて固形化して構成する手段を採用した。
【考案の効果】
【０００９】
従って、請求項１記載の固形ブドウ糖１によれば、精神的な疲労回復や、肉体的な疲労回復に効果的な固形ブドウ糖１となり、これを直接口に入れて食べるようにしても良いし、冷水や、湯や、コーヒー、紅茶等の適宜飲料に溶かして飲むこともでき、しかも、その保存、取扱い等がより便利な固形ブドウ糖１となる。
そして、従来のように、比較的大きな塊状のものを小さく砕く必要がなく、更に、その大きさを簡単に揃えることができ、必要な分量が判り易く、型崩れ等が生じ難く、外観上の体裁が良く、加えて、携帯も容易で、手軽に利用できる固形ブドウ糖１となる。
特に、外周面を上部傾斜面４と下部傾斜面５で構成しているので、型崩れ等が生じ難く、成形装置の成形型６からの固形ブドウ糖１の型離れがより良くなると共に、固形ブドウ糖１をより綺麗に成型できるようになる。しかも、固形ブドウ糖１を、製造し易く、且つ能率良く量産できるようになる。
【００１０】
また、請求項２記載の固形ブドウ糖１によれば、精神的な疲労回復や、肉体的な疲労回復に効果的な固形ブドウ糖１となり、これを直接口に入れて食べるようにしても良いし、冷水や、湯や、コーヒー、紅茶等の適宜飲料に溶かして飲むこともでき、しかも、その保存、取扱い等がより便利な固形ブドウ糖１となる。
そして、従来のように、比較的大きな塊状のものを小さく砕く必要がなく、更に、その大きさを簡単に揃えることができ、必要な分量が判り易く、型崩れ等が生じ難く、外観上の体裁が良く、加えて、携帯が容易で、手軽に利用できる固形ブドウ糖１となる。
特に、適宜厚みを有する平面六角形状に固形化して構成し、外周面を上部傾斜面４と下部傾斜面５で構成しているので、角部や全体が型崩れし難くなり、成形装置の成形型６からの固形ブドウ糖１の型離れがより良くなると共に、固形ブドウ糖１をより綺麗に成型できるようになる。しかも、固形ブドウ糖１を、製造し易く、且つ能率良く量産できるようになる。加えて、隙間なく綺麗に並べられるようになると共に、包装し易い固形ブドウ糖１となる。
【００１１】
更に、請求項３記載の固形ブドウ糖１によれば、煎茶、抹茶、ココア、砂糖、黒糖、ビタミン類等の内の適宜一種類或いは複数種類の補助剤によって、ブドウ糖以外のその他の栄養補助も可能となり、複合的な効果が期待できるより役に立つ固形ブドウ糖１となる。
【考案を実施するための最良の形態】
【００１２】
以下、本考案を図示例に基づいて詳細に説明する。
図中１は、本考案の固形ブドウ糖を示し、この固形ブドウ糖１は、主成分となるブドウ糖からなる栄養補助食品である。すなわち、精神的（神経的な）な疲労回復や、肉体的な疲労回復に優れた効果を発揮するブドウ糖で構成されたものである。
【００１３】
更に、この固形ブドウ糖１は、例えば、図４に示すような成形装置と、図２、図３に示すような成形型６とを利用して、任意の硬さに固形化されると共に、経口可能な寸法に構成されるものである。
【００１４】
例えば、図１に示すように、適宜厚みを有する平面略多角形状（例えば、六角形、五角形、八角形、その他）に形成される。
【００１５】
しかも、その外周面は、複数の上部傾斜面３と、複数の下部傾斜面４とで構成され、上部傾斜面３夫々は、上面１がわに行くに従って平面中心がわに漸次接近するような傾斜面となり、下部傾斜面４夫々は、下面２がわに行くに従って平面中心がわに漸次接近するような傾斜面となっている。
すなわち、成形装置の成形型６からの固形ブドウ糖１（加圧ブドウ糖塊）の型離れが良くなって、固形ブドウ糖１を綺麗に成型できるように構成してある。ひいては、固形ブドウ糖１を、簡単に且つ能率良く量産できるようにしてある。
加えて、固形ブドウ糖１を、例えば、適宜厚みを有する平面六角形状とすることにより、角部や全体が型崩れし難くなり、しかも、隙間なく綺麗に並べられるようになると共に、包装し易いものとなる。
【００１６】
また、固形ブドウ糖１は、ブドウ糖のみで構成しても良いし、或いは、ブドウ糖に、煎茶、抹茶、ココア、砂糖、黒糖、ビタミン類等の内の適宜一種類或いは複数種類の補助剤を加えるようにすることもできる。すなわち、ブドウ糖以外のその他の栄養補助も行えるようにして、一つの固形ブドウ糖１で複合的な栄養補助が可能となるように形成することもできる。
【００１７】
尚、固形ブドウ糖１の具体的構成、形状、寸法、ブドウ糖の具体的割合、補助剤の具体的成分、割合等は、図示例のもの等に限定されることなく、適宜自由に設定、変更できるものである。
【００１８】
本考案の固形ブドウ糖１は、前述の如く構成されており、次に、この固形ブドウ糖１を製造するための成形型６について説明すると、この成形型６は、例えば、適宜合成樹脂材や、適宜ゴム材や、適宜複合材等によって略矩形厚板状に構成され、更に、その離型性が優れたものとなるように形成されている。しかも、その表面がわには複数の充填凹部９が適宜状態に配設されており、多数の固形ブドウ糖１が製造できるように構成されている。
【００１９】
また、成形型６は、例えば、略矩形厚板状の分離下型７と、この分離下型７の上面に分離接合自在となる略矩形厚板状の分離上型８とで構成され、分離下型７には、型抜きが良くなるように上方に向って拡開するような傾斜周面（固形ブドウ糖１の下部傾斜面５に合致する面）を含む下凹部９ａが設けられ、分離上型８には、上方に行くに従って漸次狭くなるような傾斜周面（固形ブドウ糖１の上部傾斜面４に合致する面）からなる上孔部９ｂが設けられている。
すなわち、成形型６の充填凹部９に充填された固形ブドウ糖１（加圧ブドウ糖塊）の型離れがより良くなるように形成し、固形ブドウ糖１（加圧ブドウ糖塊）を成形型６から型崩れすることなく簡単に取り出せるように形成すると共に、離型剤が不要となって、ブドウ糖だけ（ブドウ糖１００パーセント）の固形ブドウ糖１を製造できるように形成されている。
ところで、充填凹部９（下凹部９ａ、上孔部９ｂ）の具体的な形状は、例えば、平面略多角形状等や、その他の形状に設定される。
【００２０】
更に、成形装置を利用した固形ブドウ糖１の具体的な成形手段について説明すると、先ず、所定量（例えば、１０ｋｇ）の粉末状のブドウ糖に、所定量（例えば、６００ｃｃ）の水を均一に混合しておいてから、この水を含んだ粉末状のブドウ糖をホッパー１０内に投入する。
【００２１】
そして、ホッパー１０内にあっては、送り込み用回転羽根体１１の駆動回転によって、水を含んだ粉末状のブドウ糖を充填用ローラー１２の下方に常時送り込み、充填用ローラー１２の駆動回転によって、水を含んだ粉末状のブドウ糖を成形型６の複数の充填凹部９に加圧充填し、送り戻し用回転羽根体１３の駆動回転によって、水を含んだ粉末状のブドウ糖を送り込み用回転羽根体１１がわに常時送り戻す。
【００２２】
一方、複数設けた成形型６は、適宜搬送機構（例えば、基台１５、オイルシリンダー１６等）によってホッパー１０下部に設けられる充填部を連続的に通過すると共に、充填部で水を含んだ粉末状のブドウ糖が複数の充填凹部９に充填されるようにする。
【００２３】
次に、充填部を通過した成形型６の表面を、すり切り用ヘラ１４ですり切って、充填凹部９に充填された加圧ブドウ糖塊（乾燥前の固形ブドウ糖１）の表面（上面２）を整えるようにする。
【００２４】
そして、この加圧ブドウ糖塊（乾燥前の固形ブドウ糖１）を成形型６から取出す。このとき、分離下型７と分離上型８とを上下方向に分離せしめることにより、複数の加圧ブドウ糖塊（乾燥前の固形ブドウ糖１）が型崩れすることなく、綺麗に且つスムーズに充填凹部９から取出されるようになる。
【００２５】
それから、複数の加圧ブドウ糖塊（乾燥前の固形ブドウ糖１）を適宜乾燥手段によって乾燥して、所望形状の固形ブドウ糖１を製造する。
【図面の簡単な説明】
【００２６】
【図１】本考案の固形ブドウ糖を例示する斜視図である。
【図２】本考案の固形ブドウ糖とその成形型の縦断面図である。
【図３】本考案の固形ブドウ糖を製造する成形型を例示する分解斜視図である。
【図４】本考案の固形ブドウ糖の成形装置を例示する概略縦断面図である。
【符号の説明】
【００２７】
１      固形ブドウ糖
２      上面
３      下面
４      上部傾斜面
５      下部傾斜面
６      成形型
７      分離下型
８      分離上型
９      充填凹部
９ａ    下凹部
９ｂ    上孔部
１０    ホッパー    
１１    送り込み用回転羽根体
１２    充填用ローラー
１３    送り戻し用回転羽根体
１４    すり切り用ヘラ
１５    基台
１６    オイルシリンダー
【図１】
0003106064.tif 000003
【図２】
0003106064.tif 000004
【図３】
0003106064.tif 000005
【図４】
0003106064.tif 000006